(57)【要約】  本発明は、空気浄化装置に関する。装置は、屋内空間と屋外空間とを区切るための窓に配置される。装置は、第１入口、第２入口、及び出口を持つ入口室であって、第１入口は、屋外空間に作動的に開かれ、第２入口は、室内空間に作動的に開かれる当該入口室と；出口を通して入口室から室内空間に空気を送り込むためのエアポンピングユニットであって、空気は、第１入口を通して又は第２入口を通して、入口室の中に送り込まれる当該エアポンピングユニットと；空気中の汚染物質を濾過するため、エアポンピングユニットの上流に配置される濾過ユニットとを有する。
2016508209.tif 000002
【特許請求の範囲】
【請求項１】
室内空間と屋外空間とを区切るための窓に配置される空気浄化装置であって、前記空気浄化装置は、
第１入口と、第２入口と、出口とを持つ入口室であって、前記第１入口は、前記屋外空間に作動的に開かれ、前記第２入口は、前記室内空間に作動的に開かれる当該入口室と、
空気を前記入口室から前記出口を通して前記室内空間に送り込むためのエアポンピングユニットであって、空気は、前記第１入口を通して又は前記第２入口を通して前記入口室に送り込まれる当該エアポンピングユニットと、
空気中の汚染物質を濾過するための、前記エアポンピングユニットの上流に配置される濾過ユニットと
を有する、空気浄化装置。
【請求項２】
前記入口室は、内壁の少なくとも一部に溝を有し、前記濾過ユニットは、前記出口と流体連通するエアチャネルを形成するために前記溝を覆うフィルタスクリーンを有する、請求項１に記載の空気浄化装置。
【請求項３】
前記フィルタスクリーンは、ＨＥＰＡフィルタである、請求項２に記載の空気浄化装置。
【請求項４】
前記フィルタスクリーンは、前記入口室の前記内壁の上面及び/又は側面に配置される、請求項２に記載の空気浄化装置。
【請求項５】
前記エアポンピングユニットは、遠心ファン又は軸流ファンである、請求項１に記載の空気浄化装置。
【請求項６】
前記エアポンピングユニットの下流に配置される出口室であって、空気が前記出口室を通して前記室内空間に送り込まれる時に騒音を低減するための騒音低減部を有する当該出口室を更に有する、請求項１に記載の空気浄化装置。
【請求項７】
前記エアポンピングユニットは、前記入口室と前記出口室との間に配置される、請求項６に記載の空気浄化装置。
【請求項８】
前記第１入口を作動的に密閉するための第１カバーと、
前記第２入口を作動的に密閉するための第２カバーと、
前記第１入口を密閉するために前記第１カバーを、又は、前記第２入口を密閉するために前記第２カバーを作動的に動作させるためのアクチュエータと
を更に有する、請求項１に記載の空気浄化装置。
【請求項９】
前記屋内空間及び前記屋外空間の空気の状態を検出するための空気状態センサと、
検出した空気の状態に従って、前記第１入口又は前記第２入口を密閉するために前記アクチュエータを制御する第１コントローラと
を更に有する、請求項８に記載の空気浄化装置。
【請求項１０】
前記第１コントローラは、前記検出した空気の状態に従って、前記エアポンピングユニットの動きを更に制御する、請求項９に記載の空気浄化装置。
【請求項１１】
前記屋内空間及び前記屋外空間の気温を検知する温度センサと、
前記室内空間と前記屋外空間との間の温度差に従って、前記第１入口又は前記第２入口を密閉するために前記アクチュエータを制御する第２コントローラと
を更に有する、請求項１０に記載の空気浄化装置。
【請求項１２】
検知した気温に従って、前記屋内空間の気温を調整するための空調ユニットを更に有する、請求項１１に記載の空気浄化装置。
【発明の詳細な説明】
【技術分野】
【０００１】
本発明は、概ね空気浄化技術に関し、より具体的には、空気浄化装置に関する。
【背景技術】
【０００２】
空気浄化装置は、空気中の汚染物質を除去し、人に浄化された空気を供給するため、オフィス、作業場、医療施設など多くの状況で広く使用されてきた。空気浄化装置は、一般に、濾過部品を有し、空気がこれを通って流れると、固体粒子又は有機汚染物質などの汚染物質を捕集する。しかしながら、従来の空気浄化装置は、一般に、室内空間に配置され、従って、該装置は、室内空気を浄化するためにのみ使用することができる。室内空気の質が悪い場合、濾過部品の濾過能力が限られているため、このような空気浄化装置は、必要に応じてきれいな空気を作ることができない。
【発明の概要】
【発明が解決しようとする課題】
【０００３】
従って、装置の空気源として屋外空気を室内空間に導入することができる空気浄化装置を提供することは有利である。
【課題を解決するための手段】
【０００４】
本発明の実施形態によれば、室内空間と屋外空間とを区切るための窓に配置される空気浄化装置が提供される。装置は、第１入口と、第２入口と、出口とを持つ入口室であって、第１入口は、屋外空間に作動的に開かれ、第２入口は、室内空間に作動的に開かれる当該入口室と；空気を入口室から出口を通して室内空間に送り込むためのエアポンピングユニットであって、空気は、第１入口を通して又は第２入口を通して入口室に送り込まれる当該エアポンピングユニットと；空気中の汚染物質を濾過するための、エアポンピングユニットの上流に配置される濾過ユニットとを有する。
【０００５】
本発明のいくつかの実施形態では、空気浄化装置は、例えば室内及び屋外空気の質に従って、選択的に第１入口又は第２入口を開けることによって、空気源として屋外空気又は室内空気のいずれかを選択することができる。従って、ユーザは、空気浄化装置の空気源を制御することができ、これは、屋外空気の質が屋内空気の質よりも良い場合に、特に効果的である。更に、このような空気浄化装置を窓に一体化させることは容易である。
【０００６】
実施形態では、入口室は、内壁の少なくとも一部に溝を有し、濾過ユニットは、出口と流体連通するエアチャネルを形成するために溝を覆うフィルタスクリーンを有する。エアチャネルは、単に、エアポンピングユニットが配置される入口室の一つの側ではなく、入口室の内壁の全面に形成されてもよく、これは、エアポンピングユニットの流れ抵抗を低減するのを助ける。このように、空気浄化装置の換気性能は、非常に向上する。
【０００７】
実施形態では、フィルタスクリーンは、ＨＥＰＡフィルタである。ＨＥＰＡ（高性能：High Efficiency Particulate Air）フィルタは、空気中のマイクロ粒子状物質を濾過するために使用することができる。
【０００８】
実施形態では、フィルタスクリーンは、入口室の内壁の上面及び/又は側面に配置される。このように構成されることで、雨滴はフィルタスクリーンの上に落ちて次いでそこに溜まることはなく、これにより、フィルタスクリーンが水で腐食されるのを防ぐ。
【０００９】
実施形態では、エアポンピングユニットは、遠心ファン又は軸流ファンである。
【００１０】
実施形態では、空気浄化装置は、更に、エアポンピングユニットの下流に配置される出口室であって、空気が出口室を通して室内空間に送り込まれる時に騒音を低減するための騒音低減部を有する当該出口室を有する。この装置は、主に二重壁ガラスで構成される窓に、容易に一体化されることができる。更に、騒音低減部は、第１入口が屋外空間に開かれている時に、屋外の騒音を低減するために使用されることができる。
【００１１】
実施形態では、エアポンピングユニットは、入口室と出口室との間に配置される。このような装置を窓に組み込むことは容易であり、安価である。
【００１２】
実施形態では、空気浄化装置は、更に、第１入口を作動的に密閉するための第１カバーと；第２入口を作動的に密閉するための第２カバーと；第１入口を密閉するために第１カバーを、又は、第２入口を密閉するために第２カバーを作動的に動作させるためのアクチュエータとを有する。アクチュエータを用いることで、空気浄化装置は、種々異なる動作モードで動作するために自動的に切り替えられ得る。
【００１３】
実施形態では、空気浄化装置は、更に、屋内空間及び屋外空間の空気の状態を検出するための空気状態センサと；検出した空気の状態に従って、第１入口又は第２入口を密閉するためにアクチュエータを制御する第１コントローラとを有する。空気浄化装置は、検出した空気の質に従って、空気源として室内空気又は屋外空気を自動的に選択することができる。
【００１４】
実施形態では、第１コントローラは、更に、検出した空気の状態に従って、エアポンピングユニットの動きを制御するように構成される。従って、空気浄化装置の換気は、自動的に調整され得る。
【００１５】
実施形態では、空気浄化装置は、更に、屋内空間及び屋外空間の気温を検知する温度センサと；室内空間と屋外空間との間の温度差に従って、第１入口又は第２入口を密閉するためにアクチュエータを制御する第２コントローラとを有する。
【００１６】
実施形態では、空気浄化装置は、更に、検出した温度に従って、屋内空間の気温を調整するための空調ユニットを有する。
【００１７】
本発明の詳細な説明及び他の態様は、以下に示される。
【００１８】
本発明の具体的な態様は、ここで、後述の実施形態を参照して説明され、添付の図面に関係して検討され、これらの中で、同一の部品又はサブステップは、同じ態様を指している。
【図面の簡単な説明】
【００１９】
【図１】図１は、本発明の実施形態の一つによる空気浄化装置１００を示す。
【図２】図２は、本発明の実施形態の一つによる空気浄化装置１００を示す。
【図３】図３は、本発明の別の実施形態の一つによる空気浄化装置２００を示す。
【図４】図４は、本発明の別の実施形態の一つによる空気浄化装置２００を示す。
【図５】図５は、本発明の別の実施形態の一つによる空気浄化装置２００を示す。
【図６】図６は、本発明のいくつかの実施形態による空気浄化装置を設置するのに適する例示的なウィンドウの一つを示す。
【図７】図７は、本発明のいくつかの実施形態による空気浄化装置を設置するのに適する例示的なウィンドウの一つを示す。
【図８】図８は、本発明のいくつかの実施形態による空気浄化装置を設置するのに適する例示的なウィンドウの一つを示す。
【発明を実施するための形態】
【００２０】
図１及び図２は、本発明の実施形態による空気浄化装置１００を示す。空気浄化装置１００は、空気中の固体粒子又は有機汚染物質（例えばホルムアルデヒド、トルエン、又は他の揮発性の高い炭化水素）などの汚染物質を除去し、人に対してきれいな空気を作るために使用される。実施形態では、空気浄化装置１００は、屋内空間１０３と屋外空間１０５とを区切るための窓１０１に配置される。
【００２１】
図１及び図２に示されるように、空気浄化装置１００は、
−  第１入口１０９、第２入口１１１、及び出口１１３を持つ入口室であって、第１入口１０９は、屋外空間１０５に作動的に開かれ、第２入口１１１は、室内空間１０３に作動的に開かれる当該入口室１０７と、
−  出口１１３を通して入口室１０７から室内空間１０３に空気を送り込むためのエアポンピングユニット１１５であって、空気は、第１入口１０９を通して又は第２入口１１１を通して、入口室１０７の中に送り込まれる当該エアポンピングユニット１１５と、
−  空気中の汚染物質を濾過するため、エアポンピングユニット１１５の上流に配置される濾過ユニット１１７と
を有する。
【００２２】
第１入口１０９と第２入口１１１とのどちらが空気を取り込むための空気源として選択されるかに依存して、空気浄化装置１００の動作は、２つのモードに分類されてもよい。特に、第１入口１０９が屋外空間１０５に開かれており、第２入口１１１が閉じている時、空気浄化装置１００はモード１で動作する。モード１の下では、図１に例示されるように、屋外空気が入口室１０７に取り込まれ、次いで濾過ユニット１１７によって浄化される。他方、第２入口１１１が室内空間１０３に開かれており、第１入口１０９が閉じている時、空気浄化装置１００はモード２で動作する。モード２の下では、図２に例示されるように、室内空気が入口室１０７に取り込まれる。
【００２３】
実施形態では、空気浄化装置１００は、第１入口１０９を作動的に密閉するための第１カバー１１９と、第２入口１１１を作動的に密閉するための第２カバー１２１とを有する。第１カバー１１９及び第２カバー１２１は、日光などの光を室内空間１０３に透過させるガラスでできていてもよい。第１カバー１１９は、第１入口１０９から遠ざかる開位置と、第１入口１０９にはめ込まれて密閉する閉位置との間を手動で又は機械的に動かされてもよい。同様に、第２カバー１２１は、第２入口１１１から遠ざかる開位置と、第２入口１１１にはめ込まれて密閉する閉位置との間を手動で又は機械的に動かされてもよい。このように、空気浄化装置１００の動作モードは、モード１とモード２との間で然るべく切り替えられてもよい。いくつかの例では、装置１００は、更に、第１入口１０９を密閉するために第１カバー１１９を作動的に駆動させる又は第２入口１１１を密閉するために第２カバー１２１を作動的に駆動させるモータなどのアクチュエータ（不図示）を有してもよい。アクチュエータは、第１カバー１１９及び／又は第２カバー１２１を駆動させるために内部又は外部制御信号に応答してもよい。
【００２４】
図１及び図２における実施形態では、エアポンピングユニット１１５は、入口室１０７の外側及び出口１１３の下流に配置される。いくつかの他の例では、エアポンピングユニット１１５は、入口室１０７の内側に配置されてもよい。例えば、エアポンピングユニット１１５は、空気浄化装置１００にエアフローを生成し、維持するために、図１の第１空気流路１１内及び図２の第２空気流路１２内の両方に配置されてもよい。詳細には、第１空気流路１１は、第１入口１０９と出口１１３とを流体的に結合し、第２空気流路１２は、第２入口１１１と出口１１３とを流体的に結合する。いくつかの例では、エアポンピングユニット１１５は、第１入口１０９又は第２入口１１１での入口圧よりも低い出口圧を出口１１３に生成することができる。このように、モード１の下では、屋外空気は、第１空気流路１１内の室内空間１０３に送り込まれてもよく、又は、モード２の下では、室内空気は、第２空気流路１２内の室内空間１０３に送り込まれてもよい。例えば、エアポンピングユニット１１５は、遠心ファン、軸流ファン、又はエアポンプであってもよい。エアポンピングユニット１１５は、エアフローを生成するための他のメカニズムを適用してもよいことを容易に理解されたい。例えば、エアポンピングユニット１１５は、空気中のいくつかの気体分子をイオンにイオン化し、次いで電界を用いてイオンを含む空気を流れさせるイオン風発生器であってもよい。
【００２５】
空気浄化装置１００内の空気が第１空気流路１１又は第２空気流路１２に流れ込むと、空気は、エアポンピングユニット１１５の上流の濾過ユニット１１７を通って流れる。このように構成されることで、汚染物質は、濾過ユニット１１７に捕集され、その後空気浄化装置１００によって出力される空気から除去される。濾過ユニット１１７は、ＨＥＰＡフィルタ、活性炭フィルタ、又は他の種類のガスフィルタであってもよい。ＨＥＰＡフィルタは、空気中のマイクロ粒子状物質を濾過するのに非常に効果的であり、活性炭フィルタは、空気中のホルムアルデヒド又はトルエンなどの有機汚染物質を吸収するのに効果的である。実施形態では、濾過ユニット１１７は、入口室１０７の出口１１３と、エアポンピングユニット１１５との間に配置される。例えば、出口１１３で出力される空気が濾過ユニット１１７によって十分に濾過され得るように、出口１１３は、濾過ユニット１１７で密閉されてもよい。いくつかの他の例では、濾過ユニット１１７は、入口室１０７の内側に配置されてもよく、すなわち空気は濾過され、次いで出口１１３で出力されてもよい。当業者は、入口室１０７と、エアポンピングユニット１１５と、濾過ユニット１１７との位置は、解説的又は例示的であって限定されるものではないと理解すべきである。
【００２６】
動作中、空気浄化装置１００は、屋内及び屋外の空気の状態に従って、モード１又は２で動作し得る。例えば、屋内空気の質が屋外空気の質よりも良い場合、空気浄化装置１００は、自動的に又は手動による指示に応答して、屋内空気を更に浄化するために、モード２で動作するように切り替えられてもよい。反対に、屋外空気の質が屋内空気の質よりも良い場合、空気浄化装置１００は、自動的に又は手動による指示に応答して、屋外空間１０５の新鮮な空気を屋内空間１０３に取り入れるために、モード１で動作するように切り替えられてもよい。従って、空気浄化装置１００は、屋内空間及び屋外空間の空気の状態を検出するための空気状態センサ（不図示）と、検出した空気の状態に従って第１入口１０９又は第２入口１１１を密閉するためにアクチュエータを制御する第１コントローラ（不図示）を更に有してもよい。センサは、屋内空間及び屋外空間の両方に、例えば、第１入口１０９及び第２入口１１１に配置されてもよい。空気状態センサは、検出した空気の状態を送信するために、有線接続又は無線接続を介して第１コントローラに通信可能に結合されてもよい。第１コントローラは、ハードウエア、ソフトウエア、ファームウエア、並びに／又は、ハードウエア、ソフトウエア、及び／若しくはファームウエアの任意の組み合わせによって実行されてもよい。例えば、第１コントローラは、回路、プログラム可能なプロセッサ、ＡＳＩＣ、ＰＬＤ，ＦＰＧＡ、又は任意の他の適切なデバイスの１つまたは複数によって実装されてもよい。
【００２７】
例では、空気状態センサは、マイクロ粒子状物質、揮発性有機化合物、又は他の種類の汚染物質などの空気中の特定の汚染物質を検出するための検出部を有してもよい。加えて、空気状態センサは、空気中の空気状態を表すために、汚染物質の濃度などの特定の汚染物質の測定結果をコントローラに送信してもよい。いくつかの他の例では、空気状態センサは、空気中のいくつかの種類の汚染物質をそれぞれ検出するための複数の検出部を有してもよい。その後、空気状態センサは、汚染物質の測定結果をコントローラに送信してもよい。コントローラは、特定のアルゴリズムを使用して、汚染物質の測定結果に従って、空気状態を示す指標又は表示度数を更に生成してもよい。その後、コントローラは、生成された指標又は表示度数に従って、空気浄化装置１００の動作を制御してもよい。空気状態センサは、空気中の汚染物質を検出するために任意の既存の検出法を使用してもよいことを容易に理解されたい。例えば、電気化学的光イオン化法が、揮発性有機化合物を検出するために使用され得る。β線吸収法又はテーパ形状エレメントを振動させるマイクロバランス法が、空気中のマイクロ粒子状物質を検出するのに使用され得る。当業者は、検出法の例は、単に解説的であり、特許請求の範囲を限定するものではないことを理解されたい。
【００２８】
第１コントローラは、更に、空気浄化装置１００の他の部品の動作を制御するように構成されてもよい。例えば、第１コントローラは、検出した空気の状態に従って、エアポンピングユニット１１５の動きを制御するように構成されてもよい。具体的には、第１コントローラは、屋内の空気の質が悪い場合、エアポンピングユニット１１５に速く又は激しく動作するように指示してもよく、これにより、空気浄化装置１００を通る空気流量が多くなる。第１コントローラは、更に、屋外の風が、図１における第１空気流路１１にエアフローを形成するのに十分に強い場合、エアポンピングユニット１１５に停止する又はゆっくり動作するように指示してもよい。
【００２９】
いくつかの実施形態では、空気浄化装置１００は、屋内及び屋外の温度に従って、モード１又は２で動作してもよい。例えば、空気浄化装置１００は、更に、屋内空間１０３及び屋外空間１０５の気温を検知する温度センサ（不図示）と、屋内空間１０３及び屋外空間１０５あるいはこれに類するものの気温差に従って、第１入口１０９又は第２入口１１１を密閉するためにアクチュエータを制御するための第２コントローラ（不図示）とを有してもよい。例えば、屋内空間１０３及び屋外空間１０５の気温差が第１の所定の値よりも低い場合、又は第２の所定の値よりも高い場合、第２コントローラは、第１入口１０９を密閉するようにアクチュエータに指示してもよく、これにより、屋外空気が屋内空間１０３に入ってこないようにする。いくつかの例では、空気浄化装置１００は、更に、検知した気温に従って、屋内空間１０３の気温を調整するための空調ユニット（不図示）を有してもよい。空調ユニットは、暖房又は冷房であってもよい。例えば、屋外温度があまりに高い場合、装置を通過する空気を冷やすために、第２コントローラによって、冷房のスイッチが入れられてもよい。屋外温度があまりに低い場合、装置を通過する空気を暖めるために、第２コントローラによって、暖房のスイッチが入れられてもよい。このように、屋内の温度は、人にとって快適な範囲内に、自動的に維持されてもよい。第１コントローラと同様に、第２コントローラは、ハードウエア、ソフトウエア、ファームウエア、並びに／又は、ハードウエア、ソフトウエア、及び／若しくはファームウエアの任意の組み合わせによって実装されてもよい。例えば、第２コントローラは、回路、プログラム可能なプロセッサ、ＡＳＩＣ、ＰＬＤ，ＦＰＧＡ、又は任意の他の適切なデバイスの１つまたは複数によって実装されてもよい。第２コントローラは、第１コントローラと一体化されてもよく、又は第１コントローラと別体であってもよいことを容易に理解されたい。
【００３０】
前述より、空気浄化装置１００は、第１入口１０９又は第２入口１１１を選択的に開けることによって、空気源として屋外空気又は屋内空気を選択することができる。従って、ユーザは、空気浄化装置の空気源を制御することができ、これは、屋外空気の質が屋内空気の質よりも良い場合に、特に効果的である。更に、このような空気浄化装置を窓に組み込むことは容易であり、このような装置を実装するためのコストは安価である。
【００３１】
図３乃至図５は、本発明の別の実施形態に従って、空気浄化装置２００を示す。すなわち、図３及び図４は、空気浄化装置２００の斜視図を示し、図５は、空気浄化装置２００の断面図を示す。
【００３２】
図３乃至図５に示されるように、空気浄化装置２００は、屋内空間２０３と屋外空間２０５とを区切るための窓２０１又は該窓の一部として形成される。装置２００は、
−  第１入口２０９、第２入口２１１、及び出口２１３を持つ入口室であって、第１入口２０９は、屋外空間２０５に作動的に開かれ、第２入口２１１は、室内空間２０３に作動的に開かれる当該入口室２０７と、
−  出口２１３を通して入口室２０７から室内空間２０３に空気を送り込むためのエアポンピングユニットであって、空気は、第１入口２０９を通して又は第２入口２１１を通して入口室２０７の中に送り込まれる当該エアポンピングユニット２１５と、
−  空気中の汚染物質を濾過するため、エアポンピングユニット２１５の上流に配置される濾過ユニット２１７と、
−  エアポンピングユニット２１５の下流に配置される出口室であって、該出口室は、空気が出口室２２３を通して屋内空間２０３に送り込まれる時に騒音を低減するための騒音低減部２２５を有する当該出口室２２３と
を有する。入口室２０７の内部構造をより明確に説明するために、図３における濾過ユニット２１７及び第１カバーユニット２１９は、図４において省略されていることに留意されたい。
【００３３】
図４及び図５に示されるように、入口室２０７は、内壁２２９の少なくとも一部に溝２２７を有し、フィルタユニット２１７は、出口２１３と流体連通するエアチャネルを形成するために溝２２７を覆うフィルタスクリーン２３１を有する。いくつかの例では、エアチャネルは、単に入口室２０７の一つの側（すなわち、フィルタスクリーン２３１は、直接、出口２１３を覆う）ではなく、入口室２０７の内壁２２９の全面又はほとんどに形成されてもよく、これにより、空気流路における面の露出エリアを増加させる。フィルタスクリーン２３１の負荷及び流れ抵抗は、空気流路における露出エリアを増加させることによって低減することができる。従って、所定の流量を得るためのフィルタスクリーン２３１の圧力低下はかなり低減され得、所定の流量は、室内空間の換気に必要である。軸流ファンなどのエアポンピングユニット２１５にとっては、より低い圧力低下の必要性は、より遅い回転速度及びより少ない電力消費という利点をもたらす。従って、このような空気浄化装置２００を、窓又はエアポンピングユニット２１５のサイズが限定されている同様の場所に組み込むことはずっと容易である。更に、軸流ファン又は他のエアポンピングユニット２１５の要求される回転速度が遅いため、室内空間にいる人に好ましくない妨害を回避するために、その回転又は他の類似する動きから発生する騒音は、低減され得る。
【００３４】
いくつかの実施形態では、フィルタスクリーン２３１は、溝２２７の他の部分が金属プレート、プラスチック製プレート又は他の防水構造の下に隠れる状態にしながら、入口室２０７の内壁２２９の上面及び/又は側面に配置されてもよい。いくつかの実施形態では、防水構造は、入口室２０７の内壁２２９と一体的に形成されてもよい。例えば、入口室２０７は、直方体に成形され、次いで、フィルタスクリーン２３１は、入口室２０７の長方形の内壁２２９の上面及び/又は２つの側面に配置されてもよい。エアチャネルが引き続き入口室２０７の出口２１３と流体連通するように、フィルタスクリーン２３１に覆われる溝２２７の部分は、フィルタスクリーン２３１に覆われていない溝２２７の他の部分と流体連通する点に留意されたい。フィルタスクリーン２３１は、内壁２２９の底面に配置されないため、雨滴がフィルタスクリーン２３１の上に落ちて次いでそこに溜まることはなく、これにより、フィルタスクリーン２３１が水で腐食されるのを防ぐ。
【００３５】
いくつかの実施形態では、必要があれば、例えば使用期間経過後に、フィルタスクリーン２３１を交換するのが容易であるように、フィルタスクリーン２３１は、入口室２０７から取り外し可能であってもよい。スクリーン２３１は、第１入口２０９又は第２入口２１１を通して、入口室２０７から又は入口室２０７の中に移動されてもよい。例えば、フィルタスクリーン２３１は、入口室２０７の内壁２２９よりもやや小さく形成されてもよく、スポンジ又はゴムなどのある可撓性材料がフィルタスクリーン２３１の周辺に配置されてもよく、該可撓性材料は、内壁２２９の中のフィルタスクリーン２３１を支持するために、フィルタスクリーン２３１と内壁２２９との間のギャップを詰め、密閉する。更に、フィルタスクリーン２３１と内壁２２９との間のギャップが可撓性材料で密閉されているため、空気浄化装置２００が作動している時にギャップを通した空気漏れは無い。
【００３６】
出口室２２３は、エアポンピングユニット２１５の下流に配置される。そして、エアポンピングユニット２１５は、入口室２０７と出口室２２３との間に配置される。入口室２０７から送り出された空気は、室内空間２０３に送り込まれる前に出口室２２３を通って進む。出口室２２３は、騒音低減部２２５を収容するための空間を提供する。例えば、騒音低減部２２５は、複数の貫通孔を備えるガラスプレートであってもよい。複数の貫通孔は、音波を吸収するため規則的なパターンになっていてもよい。このように、空気浄化装置２００は、動作において非常に小さな騒音を発生する。騒音低減部２２５は、他の適切な吸音又は遮音構造であってもよいことを容易に理解されたい。
【００３７】
図３及び図４に示されるように、空気浄化装置２００は、壁から突出する部分を備える壁に設置されてもよい。従って、出口室２２３の通気口２３５は、出口室２２３の外周フレームに配置されてもよく、出口室２２３のきれいな空気を室内空間２０３に送り出すように構成されてもよい。いくつかの実施形態では、通気口２３５は、出口室２２３の、側面、底面、又は任意の他の適切な位置に配置されてもよい。
【００３８】
図６及び図７は、本発明の実施形態による空気浄化装置を設置するのに適する例示的な窓３００を示し、図６は、屋外空間からの例示的な窓３００の正面図を示し、図７は、屋内空間からの例示的な窓３００の正面図を示す。
【００３９】
図６及び図７に示されるように、窓３００は、３つの窓サッシ３０１、３０３、３０５を有し、窓サッシ３０１及び３０３は、垂直に構成される。窓サッシ３０１及び３０３は、主に、空気浄化装置の入口室及び出口室をそれぞれ構成する二重壁ガラスで構成されている。更に、窓サッシ３０１の一方のガラス壁は、作動的に回転し又は外向きに移動し、入口室の第１入口を開け閉めしてもよい。そして、窓サッシ３０１の他方のガラス壁は、作動的に回転し又は内向きに移動し、入口室の第２入口を開け閉めしてもよい。
【００４０】
エアポンピングユニット（不図示）は、窓サッシ３０１と窓サッシ３０３との間の窓フレーム３０７の内側に配置されてもよい。入口室３０１の出口は、窓フレーム３０７の上面に配置され、窓フレーム３０７の底面は、窓サッシ３０１と窓サッシ３０３とを、すなわち入口室と出口室とを流体結合させるために窓サッシ３０３に開かれている。空気浄化装置の濾過ユニット（不図示）は、入口室又は窓フレーム３０７の内側に配置されてもよい。通気口３０９は、出口室（すなわち窓サッシ３０３）の側面に有って、きれいな空気が室内空間に送り込まれることを可能にする窓フレーム３１１を通るように配置されてもよい。
【００４１】
窓３００の構造は、単に解説的であって限定するものではなく、他の窓構造が、本発明の実施形態による空気浄化装置を設置する又は一体化させるために使用されてもよいことを容易に理解されたい。図８は、本発明の実施形態による空気浄化装置を設置するのに適合する別の例示的な窓４００の正面図を表現する。
【００４２】
図８に示されるように、窓４００は、４つの窓サッシ４０１、４０３、４０５、及び４０７を有し、窓サッシ４０１及び４０３は、水平に構成される。また、窓サッシ４０１及び４０３は、主に、空気浄化装置の入口室及び出口室をそれぞれ構成する二重壁ガラスで構成されている。更に、窓サッシ４０１の一方のガラス壁は、作動的に回転し又は外向きに移動し、入口室の第１入口を開け閉めしてもよい。そして、窓サッシ４０１の他方のガラス壁は、作動的に回転し又は内向きに移動し、入口室の第２入口を開け閉めしてもよい。空気浄化装置のエアポンピングユニット及び濾過ユニット（不図示）は、窓サッシ４０１と窓サッシ４０３との間の窓フレーム４０９の内側に配置されてもよい。
【００４３】
本発明は、図面及び前述の記載において詳細に図示及び説明されたが、このような図示は、解説的又は例示的であって限定するものではないと見なされるべきである。すなわち本発明は、開示された実施形態に限定されるものではない。開示された実施形態に対する他のバリエーションは、当業者により、請求項に係る発明を実施する際に、図面、開示内容、及び添付の請求項の精査から理解され、達成され得、請求項において「有する(comprising)」なる単語は、他の構成要素又はステップを排除するものではなく、不定冠詞「a」又は「an」は、複数を排除するものではない。単一ユニットは、請求項に列挙される複数のアイテムの機能を果たしてもよい。特定の手段が相互に異なる従属請求項に引用されているという単なる事実は、これら手段の組み合わせを有利に使用することができないということを示すものではない。請求項における任意の参照符号は、本発明の範囲を限定するものと解釈されるべきではない。
【図１】
2016508209.tif 000003
【図２】
2016508209.tif 000004
【図３】
2016508209.tif 000005
【図４】
2016508209.tif 000006
【図５】
2016508209.tif 000007
【図６】
2016508209.tif 000008
【図７】
2016508209.tif 000009
【図８】
2016508209.tif 000010
【国際調査報告】
2016508209.tif 000011
2016508209.tif 000012